【手続補正書】
【提出日】平成17年2月18日(2005.2.18)
【手続補正２】
【補正対象書類名】特許請求の範囲
【補正対象項目名】全文
【補正方法】変更
【補正の内容】
【特許請求の範囲】
【請求項１】
急性発作の患者の処置を決定するためのシステムであって、該システムは、以下：
急性発作患者の脳の測定値を得るための手段であって、該測定値は、大脳血流および平均移行時間を含み、そして大脳血量の測定値もまた含む、手段；
該測定値に基づいて該脳の虚血領域を決定するための手段であって、ここで該虚血領域は、予め決定された第１値より大脳血流が少ない領域に対応する測定値であって、該予め決定された第１値は、該脳の発症していない対応する部分の正常大脳血流より少ない、測定値、および平均移行時間が予め決定された第２値である領域に対応する測定値であって、該予め決定された第２値は、該脳の発症していない対応する部分の正常平均移行時間より大きい、測定値のうちの少なくとも１つに基づいて決定される、手段；
該測定値を使用して、該脳の虚血領域の周辺部領域を決定するための手段であって、ここで該周辺部領域は、予め決定された第３値より大きな大脳血量を有する脳の虚血領域に対応する、手段；
該周辺部領域の合計と該脳の該虚血領域の合計との間の比を決定する工程であって、ここで該比が予め決定された第４値以上である場合、該急性発作患者は、血栓崩壊治療のための候補者である、手段、
を備える、システム。
【請求項２】
前記脳の虚血領域の梗塞領域を決定するための手段をさらに備え、ここで該梗塞領域は、大脳血量が前記予め決定された第２値より小さな脳の領域に対応する、請求項１に記載のシステム。
【請求項３】
前記予め決定された第４値は、約５０％より大きい、請求項１に記載のシステム。
【請求項４】
前記予め決定された第４値は、約６５％より大きい、請求項１に記載のシステム。
【請求項５】
前記予め決定された第４値は、約７５％より大きい、請求項１に記載のシステム。
【請求項６】
請求項１に記載のシステムであって、大脳血流に関する前記予め決定された第一値が、前記脳の発症していない対応する部分の正常な大脳血流の約９０％未満である、システム。
【請求項７】
請求項１に記載のシステムであって、大脳血流に関する前記予め決定された第一値が、前記脳の発症していない対応する部分の正常な大脳血流の約７５％未満である、システム。
【請求項８】
請求項１に記載のシステムであって、大脳血流に関する前記予め決定された第一値が、前記脳の発症していない対応する部分の正常な大脳血流の約６０％未満である、システム。
【請求項９】
前記測定値は、コンピューター断層撮影装置を使用して得られる、請求項１に記載のシステム。
【請求項１０】
大脳血量に関する前記予め決定された第３値は、脳組織１００ｇあたり約２ｃｃと脳組織１００ｇあたり約４ｃｃとの間である、請求項１に記載のシステム。
【請求項１１】
発作患者の脳のマップであって、脳組織１００ｇあたり約２ｃｃと脳組織１００ｇあたり約４ｃｃとの間の大脳血量を有する該脳の領域に対応する周辺部領域を含む、マップ。
【請求項１２】
脳組織１００ｇあたり２ｃｃ未満の大脳血量を有する前記脳の領域に対応する梗塞領域をさらに含む、請求項１１に記載のマップ。
【請求項１３】
コンピューター断層撮影装置を使用して、前記患者の脳の大脳血量を決定する、請求項１１に記載のマップ。
【請求項１４】
前記マップにより、前記梗塞領域および前記周辺部領域の量を数値化し、そして周辺部領域：該周辺部領域と該梗塞領域との合計の比を数値化する、請求項１２に記載のマップ。
【請求項１５】
前記マップが、コンピューター断層撮影画像を含む、請求項１１に記載のマップ。
【請求項１６】
急性発作の患者の処置を決定するための装置であって、該装置は、以下：
急性発作の患者の脳から大脳血流および平均移行時間のうちの少なくとも１つの測定値を得て、そして大脳血量の測定値もまた得るための測定手段；ならびに
測定手段であって：
該脳の虚血領域を決定するための測定手段であって、ここで該虚血領域は、予め決定された第１値より大脳血流が少ない領域に対応する測定値であって、該予め決定された第１値は、該脳の発症していない対応する部分の正常大脳血流より少ない、測定値、および平均移行時間が予め決定された第２値である領域に対応する測定値であって、該予め決定された第２値は、該脳の発症していない対応する部分の正常平均移行時間より大きい、測定値のうちの少なくとも１つに基づいて決定される、測定手段；
該測定値を使用して、該脳の虚血領域を測定するための測定手段であって、ここで該周辺部領域は、予め決定された第３値より大きな大脳血量を有する該脳の領域に対応する、測定手段；
該脳の該周辺部領域の合計：該虚血領域の合計の比が予め決定された第４値より大きいか否かを決定するための測定手段、
を備える、装置。
【請求項１７】
前記決定手段はまた、前記測定値を使用して梗塞領域を決定し、該梗塞領域は、大脳血量が前記予め決定された第３値より小さい該脳の虚血領域に対応する、請求項１６に記載の装置。
【請求項１８】
前記脳の少なくとも周辺部領域を示す周辺部画像を作製するためのマッピング手段をさらに備える、請求項１６に記載の装置。
【請求項１９】
急性発作の患者の脳の周辺部画像を作製するためのコンピューター化方法であって、該方法は、以下：
急性発作の患者の脳の病理学的半球の大脳血流および平均移行時間のうちの少なくとも１つに対応し、そしてまた大脳血量に対応する測定データを処理して、脳の虚血領域を決定する工程であって、ここで該虚血領域は、大脳血流が予め決定された第１値より少ない領域に対応する測定値であって、該予め決定された第１値は、該脳の発症していない対応する部分の正常な大脳血流より少ない測定値、および平均移行時間が予め決定された第２値である領域に対応する測定値であって、該予め決定された第２値は、該脳の発症していない対応する部分の正常な平均移行時間より大きい測定値、のうちの少なくとも１つに基づいて決定される、工程；
該虚血領域の周辺部領域を測定するために該虚血データを処理する工程であって、ここで、該周辺部領域は、該大脳血量が予め決定された第３値よりも大きな場合の虚血データに対応し、該周辺部領域に対応する虚血データは、周辺部データを含む、工程；ならびに
少なくとも該周辺部データを使用して、周辺部画像を作製する工程、
を包含する、コンピューター化方法。
【請求項２０】
請求項１９に記載のコンピューター化方法であって、前記梗塞データを処理して、梗塞領域を決定する工程をさらに包含し、ここで梗塞領域は、大脳血量が予め決定された第３値より小さい虚血データに対応し、該梗塞領域に対応する虚血データは、梗塞データを含み、ここで前記周辺部画像を作製する工程において、梗塞データが含まれる、コンピューター化方法。
【請求項２１】
前記虚血データおよび前記周辺部データを処理して、該周辺部領域：該虚血領域の合計の比を決定する工程をさらに包含する、請求項１９に記載のコンピューター化方法。
【請求項２２】
前記予め決定された第１値は、前記脳の発症していない対応する部分の正常な大脳血流の約９０％未満である、請求項１９に記載のコンピューター化方法。
【請求項２３】
前記予め決定された第１値は、前記脳の発症していない対応する部分の正常な大脳血流の約７５％未満である、請求項１９に記載のコンピューター化方法。
【請求項２４】
前記予め決定された第１値は、前記脳の発症していない対応する部分の正常な大脳血流の約６０％未満である、請求項１９に記載のコンピューター化方法。
【請求項２５】
前記予め決定された第３値は、脳組織１００ｇあたり約２ｃｃと脳組織１００ｇあたり４ｃｃとの間にある、請求項１９に記載のコンピューター化方法。
【請求項２６】
前記画像は、前記患者の脳のマップの形態である、請求項１９に記載のコンピューター化方法。
【請求項２７】
前記ビジュアル画像が、コンピューターモニター上に表示される、請求項１９に記載のコンピューター化方法。
【請求項２８】
前記ビジュアル画像が、印刷される、請求項１９に記載のコンピューター化方法。
【請求項２９】
急性発作の患者の処置を決定するための医療診断装置であって、該装置は、以下：
処理手段であって、以下：
急性発作の患者の脳の病理学的半球の大脳血流および平均移行時間のうちの少なくとも１つに対応し、そしてまた大脳血量に対応する測定データを処理して、該脳の虚血領域を決定するための処理手段であって、ここで該測定値は、大脳血流が予め決定された第１値より少ない領域であって、該予め決定された第１値は、該脳の発症していない対応する部分の正常な大脳血流より少ない領域、および平均移行時間が予め決定された第２値である領域であって、該予め決定された第２値は、該脳の発症していない対応する部分の正常な平均移行時間より大きい領域、のうちの少なくとも１つに対応する、処理手段；
該虚血データを処理して、該虚血領域の周辺部領域を決定するための処理手段であって、ここで該周辺部領域は、大脳血量が予め決定された第３値より大きな虚血データに対応し、ここで周辺部領域に対応する該虚血データは、周辺部データを含む、処理手段；
該虚血データおよび該周辺部データを処理して、該周辺部領域の合計：該虚血領域の合計の比を決定し、該急性発作の患者の処置を決定する処理手段、
を備える、装置。
【請求項３０】
前記診断装置が、コンピューター断層撮影装置を備える、請求項２９に記載の装置。
【請求項３１】
前記診断装置が、磁気共鳴装置を備える、請求項２９に記載の装置。
【請求項３２】
前記処理手段が、コンピューターを備える、請求項２９に記載の装置。
【請求項３３】
前記処理手段は、前記比が予め決定された第４値より大きいか否かをさらに決定する、請求項２９に記載の装置。
【請求項３４】
前記予め決定された第４値は、５０％より大きい、請求項３３に記載の装置。
【請求項３５】
方法を実行するためのコンピューター実行可能な命令を有するコンピューター読取り可能媒体であって、該方法は、以下：
急性発作の患者の脳の病理学的半球の大脳血流および平均移行時間のうちの少なくとも１つに対応し、そしてまた大脳血量に対応する測定データを処理して、該脳の虚血領域を決定する工程であって、ここで該測定データは、大脳血流が予め決定された第１値より少ない脳の領域であって、該予め決定された第１値は、該脳の発症していない対応する部分の正常な大脳血流より少ない領域、および平均移行時間が予め決定された第２値である領域であって、該予め決定された第２値は、該脳の発症していない対応する部分の正常な平均移行時間より大きい領域、のうちの少なくとも１つに対応する、工程；
該虚血データを処理して、該虚血領域の少なくとも周辺部領域を決定する工程であって、ここで周辺部領域は、大脳血量が予め決定された第３値より大きい虚血データに対応し、ここで周辺部領域に対応する虚血データは、周辺部データを含む、工程；ならびに
該虚血データおよび該周辺部データを処理して、該周辺部領域：該虚血領域の合計の比を測定する工程、
を包含する、コンピューター読取り可能媒体。
【請求項３６】
前記方法は、前記比が予め決定された第４値より大きいか否かを決定する工程をさらに包含する、請求項３５に記載のコンピューター読取り可能媒体。
【請求項３７】
データ構造を媒体上に格納したコンピューター読取り可能媒体であって、該媒体は、以下：
急性発作の患者の脳の病理学的半球の大脳血流および大脳血量に対応する測定データを含む、第一領域；
該脳の虚血領域に対応する虚血データを含む、第二領域；
該脳の梗塞領域に対応する梗塞データを含む、第三領域；
該脳の周辺部領域に対応する周辺部データを含む、第四領域；
周辺部領域：梗塞領域と該周辺部領域との合計の比を含む比データを含む、第五領域、を含有する、コンピューター読取り可能媒体。
【請求項３８】
急性発作の患者の脳の周辺部画像を作製するための装置であって、該装置は、以下：
急性発作の患者の脳の大脳血流および大脳血量の測定値を得るための測定手段；
該脳の虚血領域を測定するための測定手段であって、該大脳血流の測定値が、予め決定された第一値よりも低い場合、該虚血領域を測定する、測定手段であって、該測定手段はまた、発作患者が血栓崩壊治療の使用からの利益が得られるか否かを測定し、そして該脳の周辺部サイズ：該周辺部サイズと梗塞サイズとの合計の比を測定し、そしてここで、該比が、予め決定された第三値を上回った場合、該急性発作患者を、血栓崩壊治療のための候補者とする、測定手段；および
該測定値を使用して、該脳の虚血領域の周辺部領域を含む周辺部画像を作製するためのマッピング手段であって、ここで、該周辺部領域は、該予め決定された第二値よりも大きな大脳血量を有する脳の領域に対応する、マッピング手段、
を備える、装置。
【請求項３９】
前記３８に記載の装置であって、前記周辺部画像がまた、前記脳の虚血領域に対応する梗塞領域を含み、ここで、大脳血量が、予め決定された第二値よりも低い、装置。
【請求項４０】
前記周辺部画像を表示するためのディスプレイ手段をさらに備える、請求項３８に記載の装置。
【請求項４１】
発作患者が、血栓崩壊治療の使用から利益が得られるか否かを測定するための医療用診断装置であって、該装置は、以下：
急性発作の患者の脳の病理学的半球の大脳血流および大脳血量に対応する複数の測定データを第一データベースに格納するための格納手段；
処理手段であって：
予め決定された第一値よりも低い大脳血流に対応する測定データについて、該データベースを問い合わせすることによって該脳の虚血領域を決定するために測定データを処理するための処理手段；
該虚血領域の梗塞領域および周辺部領域を決定するために該虚血データを処理するための処理手段であって、ここで、梗塞領域は、大脳血量が予め決定された第二値よりも低い場合、虚血データに対応し、そして周辺部領域は、大脳血量が該予め決定された第二値よりも大きい場合、虚血データに対応し；ここで、梗塞領域に対応する虚血データは、該データベース中に梗塞データとして格納され、そして周辺部領域に対応する虚血データが、周辺部データとして格納される、処理手段；および
該梗塞データおよび該周辺部データを処理して、周辺部サイズが梗塞サイズと該周辺部サイズとの合計を含む比を測定するための処理手段であって、ここで、該比が、予め決定された第三値よりも大きな場合、該発作患者を、血栓崩壊治療のための候補者とする、処理手段；ならびに
該処理の結果を表示するためのディスプレイ手段、
を備える、医療用診断装置。
【請求項４２】
前記診断装置が、コンピューター断層撮影装置を備える、請求項４１に記載の装置。
【請求項４３】
前記診断装置が、磁気共鳴装置を備える、請求項４１に記載の装置。
【請求項４４】
前記処理手段が、コンピューターを備える、請求項４１に記載の装置。
【請求項４５】
前記格納手段が、記憶デバイスを備える、請求項４１に記載の装置。
【請求項４６】
前記記憶デバイスが、ランダムアクセス記憶装置を備える、請求項４１に記載の装置。
【請求項４７】
方法を実行するためのコンピューター実行可能な命令を有するコンピューター読取り可能媒体であって、該方法は、以下：
急性発作の患者の脳の病理学的半球の大脳血流および大脳血量に対応する複数の測定データを第一データベースに格納する工程；
予め決定された第一値よりも低い大脳血流に対応する測定データについて、該データベースを問い合わせすることによって該脳の虚血領域を決定するための測定データを処理する工程であって、ここで該問い合わせの結果が、該データベース中に虚血データとして格納される、工程；
該虚血領域の梗塞領域および周辺部領域を測定するために該虚血データを処理する工程であって、ここで、梗塞領域は、大脳血量が予め決定された第二値よりも低い場合、虚血データに対応し、そして周辺部領域は、大脳血量が該第二値よりも大きい場合、虚血データに対応し；ここで、梗塞領域に対応する虚血データは、該データベース中に梗塞データとして格納され、そして周辺部領域に対応する虚血データは、周辺部データとして格納される、工程；ならびに
該梗塞データおよび該周辺部データを処理し、周辺部サイズが該梗塞サイズと該周辺部サイズとの合計を含む、工程、
を包含する、コンピューター読取り可能媒体。
【請求項４８】
前記比が、予め決定された第三値よりも大きい場合、前記発作患者を、血栓崩壊治療のための候補者とする、請求項４７に記載のコンピューター読取り可能媒体。